(57)【要約】      （修正有）【課題】温泉施設の管路、栓類の日常的整備の手間からの解放や部材の取替え、ランニングコスト等が大幅に改善され、さらに機器の耐久年数も増すなど副次効果も含めたイニシャルコスト、ランニングコストダウンに有効活用することなどの課題を解決しようとするとともに、また温泉水の浄化度を高め、温泉効果の阻害もないことにより発明を完成し、上記課題を解決することを目的とする。【解決手段】温泉水処理装置は、沈殿槽１７と、滞流槽１８と、貯留槽１９とから構成され、滞留槽１８には整流板１３、沈殿促進板１４が設けられ、温泉水は沈殿槽１７及び滞留槽１８において固形物が分離され、該固形物は沈殿槽１７及び滞留槽１８底部に設けられた排出口１５から排出される。【選択図】  図１
2005313158.tif 000002
【特許請求の範囲】
【請求項１】
固形物が析出する温泉水を処理槽である第１槽沈殿槽に導入して比重差により、沈殿分離処理し、さらに一部固形物を含む温泉水を少なくとも一つの滞流槽内で沈殿分離処理し、少なくとも一つの貯留槽に貯蔵する温泉水の処理方法であって、沈殿分離槽底部、滞流槽底部、貯留槽底部に沈殿した一部液を含む固形物を底部に設けた排出口により排出し、固液分離処理することを特徴とする温泉水処理方法。
【請求項２】
沈殿槽および滞流槽内に温泉水の流れを制御する整流板を設け、沈殿分離を促進する機能を有することを特徴とする請求項１に記載の温泉水の処理方法。
【請求項３】
沈殿槽内に設けた整流板下部流路を滞流槽内に流入した温泉水の流れを制御する沈殿促進板を滞流槽内に設け、沈殿分離を促進する機能を特徴とする請求項１記載または請求項２記載の温泉水の処理方法。
【請求項４】
底部排出口より排出する固形物を含む沈殿物が３０〜５０ｍｍ堆積を予測して２〜３日の間隔で排出し、１回に排出口より排出する量として温泉色と同色を目処とすることを特徴とする請求項１〜３のいずれかに記載の温泉水の処理方法。
【請求項５】
滞流槽内に流入した温泉水の流れを制御する沈殿促進板を溢流した温泉水を滞流槽と貯留槽とを分割する分離板を設けて整流板とし、沈殿促進板を溢流した温泉水を整流板によって温泉水を再び滞流槽内に滞留させることにより完全に沈殿処理する機能を特徴とする請求項１〜４のいずれかに記載の温泉水処理方法。
【請求項６】
処理槽を構成する沈殿分離槽内に設けた整流板下部の流路間隔を処理槽有効水位の１／１０〜１／１５とし、又、滞流槽内に設けた沈殿促進板の高さを処理槽有効水位の１／４〜１／５とし、滞流槽と貯留槽を分割する整流板の高さを処理槽有効水位の１／２〜３／４とする請求項１〜５のいずれかに記載の温泉水の処理装置。
【請求項７】
処理槽底部に設けた２つの排出口の位置及び大きさとして、沈殿分離槽と滞流槽を分割する整流板の底部に設け、底部には排出口に向かって１／１００〜１／５０の勾配を設け、排出口の大きさとして処理槽容量と沈殿物の堆積量に対応した口径の排出口を設け、又、滞流槽と貯留槽を分割する整流板の底部の排出口も同様とする請求項１〜６のいずれかに記載の温泉水の処理装置。
【請求項８】
処理槽を構成する滞流槽と貯留槽との間に設ける連絡管及び連絡弁を設け、貯留槽内の温泉水を大量放出した場合、不足分を滞流槽から一時的に補給する装置を有する請求項１〜７のいずれかに記載の温泉水の処理装置。
【請求項９】
温泉水の処理槽の最終槽貯留槽内に、耐食性・防錆性・耐熱性・耐酸性等を有する材料であるステンレス材・プラスチック材を使用する、熱交換機能を有する加熱管を設置し、この加熱管内に源泉からの温泉水を流入し、第１槽の沈殿槽に導出することにより温泉水の温度を制御することを特徴とする請求項１〜５のいずれかに記載の温泉水の処理方法。
【請求項１０】
温泉水の処理槽の最終槽貯留槽内に、耐食性・防錆性・耐熱性・耐酸性等を有する材料であるステンレス材・プラスチック材を使用する、熱交換機能を有する加熱管と、この加熱管内に源泉からの温泉水を流入し、第１槽の沈殿槽に導出することにより温泉水の温度を制御する装置とを挿入することを特徴とする請求項６〜８のいずれかに記載の温泉水の処理装置。
【発明の詳細な説明】
【技術分野】
【０００１】
本発明は温泉水溶存物質である硫黄酸化物等固形物を比重差と沈殿分離方法によって除去する温泉水処理装置に関する。
【背景技術】
【０００２】
特開２００３−１８１４８８号（以下、特許文献１という）に、「有機性排水を導入して活性汚泥により好気性生物処理する曝気槽と、該曝気槽から送られる懸濁液を固液分離する沈殿槽と、該沈殿槽で沈殿した汚泥を直接又は間接に曝気槽に返送する返送手段と、該返送汚泥の一部を余剰汚泥として引き抜き脱水処理する脱水機を有する有機性排水の処理装置において、前記沈殿槽から引き抜かれた汚泥を前記曝気槽に返送する際の返送汚泥量を有機性排水量の１．５〜１０倍量に調整する手段を有し、前記沈殿槽から引き抜いた余剰汚泥を濃縮後脱水に有効な薬剤を有効な量まで添加せずに脱水処理する脱水機が電気浸透機能を有するフィルタープレス型脱水機であることを特徴とする有機性排水の処理装置の請求項。また、図１。」の記載がある。
【０００３】
特開２００３−３０００７７号（以下、特許文献２という）に、「図面の参照符号を付して示せば、重金属及びダイオキシンと固形物を含む廃水Ｗ０  中の粗粒固形物Ｓ１を分離除去する傾斜分離器１と、該傾斜分離器１を通過した廃水中の細粒固形物Ｓ２を沈殿させる沈殿槽２と、該沈殿槽２の液Ｗ１  を導入して液中の重金属成分を不溶化及びフロック化する反応凝集槽３と、該反応凝集槽３から送られる液中のフロックＦを沈降分離させる沈降分離槽４と、該沈降分離槽４の液Ｗ２  を通過させて液中の懸濁粒子を捕捉する濾過器（カートリッジフィルター）５Ａ，５Ｂと、該濾過器を通過した液中の有害成分を吸着分離する活性炭吸着器６とを備え、前記傾斜分離器１は、廃水導入口（導入ノズル）１１より供給される廃水Ｗ０  を傾斜路１０へ導き、該傾斜路１０の底面に設けた簀の子状通水口１２を通して、下方に配置した前記沈殿分離槽２の開口部２０ａへ流下させると共に、該通水口１２を通過しない粗粒固形物Ｓ１を前記傾斜路１０の下端排出口１３より排出するように構成され、前記反応凝集槽３は、薬剤との反応を行う反応タンク部３１と、凝集剤によるフロック化を行う凝集タンク部３３とを有してなる構成を採用したものである。（特許文献２の第０００７段落）また、図３、図４。」の記載例がある。
【０００４】
特開２００３−６２４１０号（以下、特許文献３という）に、「ケーシングと、柔軟性を有し、上記ケーシング内部に弛ませた状態で横または斜めにして設けてある濾過材と、当該濾過材の下方側に処理液を供給する給液手段と、上記濾過材の上方側から処理液を排出する排液手段と、上記濾過材で濾過されて沈殿した固形物を排出する沈殿物排出手段と、を備えていることを特徴とする、廃水処理装置である。（特許文献３の第００１４段落）」の記載例がある。
【０００５】
【特許文献１】特開２００３−１８１４８８号公報
【特許文献２】特開２００３−３０００７７号公報
【特許文献３】特開２００３−６２４１０号公報
【発明の開示】
【発明が解決しようとする課題】
【０００６】
しかしながら、特許文献１は有機性排水を活性汚泥により好気性生物処理し、沈殿槽で固液分離し、沈殿した汚泥を直接又は間接に曝気槽返送するとともにその一部を汚泥として引き抜き脱水処理する有機性排水の処理方法であり、槽の上層部から処理水を排出し、槽の底部から曝気していて、連結槽を単に壁で遮蔽し、沈殿物を分離できない。
【０００７】
特許文献２は重金属及びダイオキシンと固形物を含む廃水中の粗粒固形物を分離除去また、廃水中の細粒固形物を沈殿分離させ凝集剤によるフロック化を行う廃水処理装置であり、傾斜分離器により固液分離し、上層部からオーバーフローした廃液をポンプにより排水し、さらに凝集し、沈殿槽の上澄を排水するので、ポンプなどの排水機が必要であり、温泉水に適用することができない。
【０００８】
特許文献３は廃水から懸濁物資を除去し、清浄水をつくることができる廃水処理装置において、濾過材の逆洗作業と処理液に凝集剤を添加する廃水処理装置であるが、自然沈殿槽を二箇所設けているが、これらの槽によって流量を調整することができない。濾過材があるため温泉水に適用できない。
【０００９】
本発明は、温泉水の温泉効果の減少を抑制する。さらに、温泉水施設の管路、栓類の日常的整備の作業からの解放や部材の取替えコスト、ランニングコスト等を大幅に改善し、機器の耐久年数も増すなど副次効果も含めたイニシャルコスト、ランニングコスト等のコストダウンに有効である温泉水処理装置を提供することを目的とする。
【課題を解決するための手段】
【００１０】
本発明は、沈殿分離槽、滞流槽、貯留槽を構成し、整流板、沈殿促進板の制御機構と比重差による沈殿分離作用機構による温泉水処理方法は、ポイントとなる温泉効果の阻害もなく当初の目的を実現したものである。
【００１１】
本発明にいう温泉水の処理方法は、比重差による沈殿分離法であり、温泉水中の溶存物質および固形物を除去し、温泉水の浄化度を高め、温泉効果の阻害のない方法である。
本発明で使用する温泉水処理装置は、比重差による沈殿分離方法を用いた物であって、具体的には、沈殿分離槽、滞流槽、貯留槽から構成され、中仕切り槽形状も含まれる。発明の温泉水処理は、中仕切り槽形状の工夫により処理効果を高めていることを特徴とする。
【００１２】
本発明の温泉水処理装置は、沈殿槽と、滞流槽と、貯留槽とから構成される。本発明の温泉水処理装置は、流入管と、整流板と、沈殿促進板と、連絡弁と、連絡管と、オーバーフロー管と、通気管と、排出口と、吸込口とからなる。定流量弁と、ボールタップと、槽内液面計を含むものも本発明である。
【００１３】
また、本発明の温泉水処理装置は、処理槽を沈殿分離槽と、滞流槽と、貯留槽と整流板を含む。例えば、第１槽沈殿分離槽と、第２槽滞流槽と、第３槽貯留槽と３つの槽から構成される温泉水処理装置も本発明である。沈殿分離槽と滞流槽と間の下部に流路を設けた整流板と滞流槽中間上部に流路を設けた沈殿促進板を含むものも本発明の温泉水処理装置である。
さらに、本発明の温泉水処理装置は、沈殿槽下部と滞流槽下部一部に沈殿した硫黄酸化物および／または無機物などの固形物、一部液を固液と共に排出される排出口を含む。沈殿槽と滞流槽との間に設けた整流板下部と底面間隔と、滞流槽中間に設けた沈殿促進板上部と有効水位間隔と、滞流槽と貯留槽と間に設けた整流板上部と有効水位間隔は硫黄酸化物を含む固形物の比重差と沈殿速度と滞流時間を含むものも本発明の温泉水処理装置である。
【００１４】
また、処理槽を構成する沈殿分離槽内に設けた整流板下部の流路間隔を処理槽有効水位の１／１０〜１／１５とし、又、滞流槽内に設けた沈殿促進板の高さを処理槽有効水位の１／４〜１／５とし、滞流槽と貯留槽を分割する整流板の高さを処理槽有効水位の１／２〜３／４とする温泉水の処理装置である。
処理槽底部に設けた２つの排出口の位置及び大きさとして、沈殿分離槽と滞流槽を分割する整流板の底部に設け、底部には排出口に向かって１／１００〜１／５０の勾配を設け、排出口の大きさとして処理槽容量と沈殿物の堆積量に対応した口径の排出口を設け、又、滞流槽と貯留槽を分割する整流板の底部の排出口も同様とすることを特徴とする温泉水の処理装置でもある。
処理槽を構成する滞流槽と貯留槽との間に設ける連絡管及び連絡弁を設け、貯留槽内の温泉水を大量放出した場合、不足分を滞流槽から一時的に補給する装置を有するものも本発明の温泉水の処理装置である。
【００１５】
本発明の温泉水処理方法は、温泉水の処理槽の最終槽貯留槽内に、耐食性・防錆性・耐熱性・耐酸性等を有する材料であるステンレス材・プラスチック材を使用する、熱交換機能を有する加熱管を設置し、この加熱管内に源泉からの温泉水を流入し、第１槽沈殿槽に導出することにより温泉水の温度を制御することを特徴とする。
本発明の温泉水処理装置は、温泉水の処理槽の最終槽貯留槽内に、耐食性・防錆性・耐熱性・耐酸性等を有する材料であるステンレス材・プラスチック材を使用する、熱交換機能を有する加熱管と、この加熱管内に源泉からの温泉水を流入し、第１槽沈殿槽に導出することにより温泉水の温度を制御する装置とを挿入することを特徴とする。
【発明の効果】
【００１６】
以上説明したように本発明により、市場の要請に対応できる温泉水処理装置は、水栓類の詰まりは解消し、施設の機能も十分にその役目を果たしている。
また、管路、栓類の日常的整備の手間から開放され、ろ過材の取り替えもないこと等から、ランニングコストが大幅に改善され、さらに機器の耐久年数も増す副次的効果も含めランニングコストは十分の一と大幅なコストダウンとなる。
温泉水中に含有する硫黄酸化物等は完全に除去され、温泉水の浄化度は高まりポイントとなる温泉効果の阻害もなく当初の目的を達成した。
【発明を実施するための最良の形態】
【００１７】
温泉水施設の実態を調査したところ、
ａ）栓内部が全て「湯の花」で覆いつぶされていた。
ｂ）配管の曲がり部分、器具類との接続部分は「湯の花」でほとんど隔間がない。
ｃ）浴槽、露天風呂の縁、洗い場に「湯の花」が堆積し、また底部に大量に噴出している。
【００１８】
築６ヶ月のリゾートホテル温泉の温泉施設の配管および水栓類が詰まって支障をきたすので、以下の「湯の花除去」対策を講じる必要がある。
ａ）コストがかからないこと
ｂ）メンテナンスがしやすいこと
ｃ）耐久性があること
ｄ）せっかくいい温泉の泉質を変えないこと
【００１９】
上記の課題を考慮して湯の花除去、施設を検討するに当たり、まず、鹿児島県内の既設温泉施設を調査および当温泉の泉質分析を行なった。いくつかの温泉では泉質により程度の差こそあれ腐食性もなく、特別施設を設けていないものもあったが、一般的に前処理として、既設温泉の各種装置は砂ろ過器、けいそう土ろ過器、カートリッジろ過器などがつかわれており、温泉水処理対策としては、ろ過材による除去方式が用いられている。調査した範囲においては、湯の花除去対策には、まだ効果的な湯の花除去装置は見当たらない。
【００２０】
つぎに、当温泉の泉質分析を鹿児島県環境技術協会に依頼した。泉質試験では、顕微鏡観察、燃焼試験、蛍光Ｘ線分析などさまざまな方法で分析を行なった結果、無機質が主体であると推定された。蛍光Ｘ線分析で測定したところ、硫黄、ケイ素、アルミニウム、カルシウムなどの無機物が含有され、特に硫黄が３５ｗｔ％含まれていることが分かった。この結果を三酸化硫黄の形に換算すると実に８７ｗｔ％になる。
又、温泉水造成の過程において、水に温泉の噴気を注入して作る噴気造成型温泉であることから、温泉噴気に含まれていた硫黄が水に吸収されてできる液体で黄色の流動性がある入硫黄（ラムダ硫黄）とよばれる硫黄元素が鎖状につながったり、からみあったりした構成の硫黄元素も含有されていた。以上の結果から当温泉の泉質は湯の花や固形物が非常に多く、また高温で腐食性もある。
【００２１】
溶解性無機質が析出したものや固形物の処理方法を検討するため、温泉水を容器にとり、４０分間放置したところ、沈殿分離が確認された。
そこで、比重差による沈殿分離による固形物を含有する溶解性無機質が除去されることを確認し、さらに温泉水を貯留し、上記の事柄を踏まえて、比重差による沈殿分離方式により固形物を含む溶存物質除去装置の開発に取り組んだ。
温泉水の処理方法はポイントとなる温泉効果の阻害もなく、当初の目的を達成することである。温泉水の処理方法および本発明の一形態の装置の概略図を図１に示し、説明する。
【００２２】
図１において、１１は処理槽内に流入する温泉水、２０は温泉水流入量を一定流量に調整する定流量弁、１２・２５は処理槽を構成する第１槽沈殿槽に流入する流入口、２８は処理槽、１７は流入した温泉水を沈殿分離する沈殿槽、１５は沈殿槽、滞流槽１８ａの一部を含む沈殿物質を排出する排出口、２７は沈殿物を排出口より排出させる排出弁、１３ａは沈殿槽内に流入した温泉水の流れを一定流とさせる整流板である。
【００２３】
図１において、２４は処理槽内において分離した空気・蒸発気を逃がす通気口２１は槽全体のオーバーフロー口である。
図１において、１４は沈殿分離槽内で除去されずに滞流槽内に流入した温泉水中の固形物と整流板を含む沈殿槽内での沈殿を促進させるための沈殿促進板、１８ａは滞流槽、１８ｂは滞流槽一部、２１は処理槽全体のオーバーフロー口である。
【００２４】
図１において、１４は沈殿分離槽内で除去されずに滞流槽内に流入した温泉水の固形物を滞留させることによって沈殿を促進する沈殿促進板である。
図１において、１９は処理槽を構成する処理した温泉水を貯留する貯留槽である。２３，２６は沈殿槽内に流入する温泉水量と使用状況により貯留槽内の温泉処理水とのバランスが崩れた場合、滞流槽内の温泉水を貯留槽に一時的に補給するための連絡弁２６と連絡管２３、１６はポンプ又は自然流下の吸込口、２２は槽内液面計である。
【００２５】
図２において、沈殿槽底部１７及び滞流槽底部一部１８ａに分離沈殿した硫黄酸化物質等を含む固形物を排出する排出口１５と排出弁２７を整流板１３ａ直下に設け、沈殿槽底部及び沈殿促進板１４に囲まれた滞流槽底部一部の両槽底部を含むに分離沈殿した硫黄酸化物質等を含む固形物を排出する。
【００２６】
図３において、沈殿促進板１４に囲まれた滞流槽底部一部１８ｂと貯留槽底部に分離沈殿した硫黄酸化物質を含む固形物を排出する排出口１５と排出弁２７を整流板１３ｂ直下に設け、沈殿促進板１４に囲まれた滞流槽底部一部と貯留槽底部に分離沈殿した硫黄酸化物を含む固形物を排出する。
【００２７】
図４において、沈殿槽内に流入する温泉水量と使用状況により貯留槽内の温泉処理水とのバランスが崩れた時、滞流槽内の温泉水を貯留槽内に一時的に補給するための連絡弁２６と連絡管２３である。
【００２８】
図５において、実施例１を行う前に使用した実験槽である。温泉水分析表を参考に、成分の比重量に着目し、温泉水をこの実験槽内一杯に貯留して、温泉水中の硫黄酸化物を含む固形物の状態を観察した。しばらくして、温泉水中の固形物の一部が分離沈降を始め実験槽底面に体積した。貯留後、１０分位から分離沈降し、約１２０分で温泉水中の固形物は略１００％沈殿堆積した。
【００２９】
上記、実験結果を基にさまざまな様態を想定し、シミュレーションを作った。流入量と使用量とから槽の大きさと、滞流時間と、貯留量との関係を表１に示す。
【００３０】
【表１】
2005313158.tif 000003
【００３１】
以下、本発明による温泉水処理装置の実施例について、図表を参照して記述する。
本施設の設計にあたって、温泉水供給量４０ｌ／分、浴槽は既存の施設、使用人員は過去最大時の実績（５０人／人）などの与条件にもとづき湯の花等の固形物除去１００％を目指し、図１に示す処理槽を設計した。図１において、温泉水処理装置は幅１ｍ、高さ２．５ｍ、奥行き２．５ｍのステンレス製のもので、容積６．２５ｍ３、有効容積５．０ｍ３とした。槽内流速０．０５ｍ／分とし、滞流時間を２４０分が得られるものとした。
【００３２】
温泉水処理装置開発において工夫検討した事項は、温泉水処理装置の設計において温度効果を確認し、設備設置管理費の節減を図るとともに所定の湯の花など固形物除去の目的を達成し、泉質の変化のないきれいな温泉水にするために工夫したことは以下のとおりである。
沈殿分離効果を高めるため、湯の流れをできるだけ静流とする。そのため温泉水処理槽を３つの槽に分けその間にそれぞれ整流板を設置した。槽の第１と第２の間の整流板は下部２００ｍｍの間隔、第２と第３の間は上部に流入口水位下４００ｍｍの高さまでの整流板を設け流路とした。また第２槽内に初期の流れを静流にするため沈殿促進板を設けた。
【００３３】
処理槽第１槽沈殿分離槽内に設けた整流板下部の流路間隔は、処理槽有効水位の１／１０〜１／１５とする。また、第２槽滞流槽内に設けた沈殿促進板の高さは、処理槽有効水位の１／４〜１／５とする。第２槽滞流槽と第３槽貯留槽を分割する整流板の高さは処理槽有効水位の１／２〜３／４とする。
【００３４】
つぎに温泉水処理槽は、処理槽第１槽を沈殿分離槽、第２槽を滞流槽、第３槽を貯留槽とした。
沈殿槽内で、ほとんど固形物および溶存物質を沈殿させるため、温泉水の流入を静流とするため整流板を下部まで設置し、溶存物質および固形物質の沈殿効果を高める工夫をした。
第２槽と第３槽との間の整流板は、下部より上部方向に高く設置した。これは第１槽、第２槽内の流れを整流にし、滞流時間を長く、第１槽、第２槽内での沈殿を促進するためである。
第３槽内に流入する温泉水は、第２槽と第３槽との間の整流板上部を溢流し、第３槽内に貯留し吸込口よりポンプ等または、自然流下によって施設に供給される。
【００３５】
本温泉水処理設置の特徴は、温泉水中の溶存物質および含有する物質を効率的に除去するため中仕切り槽形状にある。
処理された温泉水の使用開始に際し、一時的に貯留槽内の温泉水が不足するのを防止するため、滞流槽と貯留槽間を二段に分けて連絡管を設け、適宣開閉し、使用量に応じた開閉を行なう。これは非常時的なものであって、普段は供給量と使用量を考慮し、設計してあるので開閉する必要はない。
【００３６】
温泉水処理槽内に流入する温泉水は、当初層流あるいは乱流、または複合的な流れを想定し、沈殿槽内の整流板によって流れは流下するに伴ない整流となり、温泉水の物質は比重差によって分離を始め、温泉水より重い物質は下部に沈殿する。物質の一部を含む温泉水は整流板下部流路を通って滞流槽内の沈殿促進板によって流れの一部は静流に変化し、残りの温泉水中の残留物質は分離して下部に沈殿する。流れが進むにつれ、温泉水は沈殿促進板上部を溢流し、滞流槽と貯留槽間の整流板によって流れは遮断され滞流される。さらに分離され、蒸発気等もここで分離し通気管より大気中に放出される。
完全に浄化された温泉水は整流板上部を溢流し貯留槽に貯えられる。
【００３７】
当温泉水の湯の花を含む付着物を蛍光Ｘ線を用いて分析した。その結果を表２に示した。
【００３８】
【表２】
2005313158.tif 000004
実験用温泉水処理装置の実施例を図１に示す。
【実施例１】
【００３９】
図１において、表１による分析の結果、硫黄酸化物を含む付着物が温泉水より重いことに着目し、比重差による沈殿分離方法を用いて除去するために製作した実例温泉水処理装置である。
〔比較例１〕
【００４０】
図５においては、整流板を設けない実験用温泉水処理装置で実際に温泉水を用いて実験した結果、硫黄酸化物を含む付着物の沈殿分離による除去が不完全で改善する余地が必要であった。
【実施例２】
【００４１】
処理槽底部に設けた二つの排出口の位置及び大きさは沈殿分離槽と滞流槽を分割する整流板真下の底部中央に設け底部口は排出口に向かって１／１００〜１／５０の勾配を設ける排出口の大きさは処理槽容量と沈殿物の堆積量にもよるが１００ｍｍ〜１５０ｍｍの口径の排出口を設ける。又、第２槽滞流槽と第３槽貯留槽を分割する整流板真下の排出口も同様とする。
【００４２】
本発明の処理装置は、槽内を整流板、沈殿促進板、排出口、連絡管等を設け、槽内の温泉水の流れを上下に設けた流路を通過させ、又、整流板、沈殿促進板の高さを変える中仕切り槽形状とし底部中央に設けた二つの排出口により直接排出処理できる機能を有する温泉水処理装置である。処理した温泉水を分析した結果を表３に示す。自然沈降させた上澄み液の成分分析の結果と同様であった。沈殿分離による除去した硫黄酸化物を含む物質を蛍光Ｘ線を用いて分析した。この結果を表４に示す。
【００４３】
【表３】
2005313158.tif 000005
【００４４】
【表４】
2005313158.tif 000006
【実施例３】
【００４５】
実施例１の処理装置を実験用モデルに製作（１／２００）し、新たに温泉水の鉄、マンガンの除去の実験を行った。
【００４６】
期間平成１６年１０月〜平成１７年３月の６ヶ月間、槽仕切板の高さを調整、エアレーション等をくり返し実験した。最初に行った実施例では、第１槽沈殿槽内に空気を吹き込むエアレーションを行った。エアレーションによる鉄の沈殿促進を図った。鉄分に対しては少しの効果が見られ、マンガンに対してはほとんど効果が見られなかった。
【００４７】
エアレーションの実施及び実施しない双方の温泉水の鉄、マンガン除去の実験結果を下記表５に示す。
【００４８】
【表５】
2005313158.tif 000007
【００４９】
エアレーションを実施しない槽仕切板の高さ、滞流時間、貯留時間を変化による様態を下記表６、表７に示す。
【００５０】
【表６】
2005313158.tif 000008
【００５１】
【表７】
2005313158.tif 000009
実験結果を下記表８に示す。
【００５２】
【表８】
2005313158.tif 000010
【００５３】
処理槽第１槽沈殿槽流入口にメッシュ（φ４０）を装着し、温泉水中の鉄、マンガンの沈殿除去率の結果を、下記表９に示す。
【００５４】
【表９】
2005313158.tif 000011
【００５５】
エアレーション、メッシュ装着等の実験の結果、鉄、マンガンの除去率の変化はほとんど見られなかった。特に、効果の見られたのは、滞流時間と貯留時間の適正な時間配分によって、鉄は７０％除去されることが実証された。
【図面の簡単な説明】
【００５６】
【図１】本発明の実施例温泉水処理装置の正面図である。
【図２】本発明の温泉水処理装置の沈殿槽及び滞流槽一部の沈殿物を排出する排出口の断面図である。
【図３】本発明の温泉水処理装置の滞流槽一部及び貯留槽の沈殿物を排出する排出口の断面図である。
【図４】本発明の滞流槽と貯留槽を結ぶ連絡管正面図である。
【図５】本発明実施例の比較図の正面図である。
【符号の説明】
【００５７】
１１  温泉水
１２  ボールタップ口
１３ａ  整流板
１３ｂ  整流板
１４  沈殿促進板
１５  排出口
１６  吸込口
１７  第１槽沈殿槽
１８  第２槽滞流槽
１８ａ  滞流槽一部
１８ｂ  滞流槽一部
１９  第３槽貯留槽
２０  定流量弁
２１  オーバーフロー口
２２  槽内液面計
２３  連絡管
２４  通気口
２５  流入口
２６  連絡弁
２７  排出弁
２８  処理槽
【図１】
2005313158.tif 000012
【図２】
2005313158.tif 000013
【図３】
2005313158.tif 000014
【図４】
2005313158.tif 000015
【図５】
2005313158.tif 000016